(57)【要約】【課題】複数回にわたって利用されるＲＦＩＤタグ付きリライタブル印字媒体２の利用回数や利用状況を把握可能であり、以後利用可能か否かを判別可能とし、その交換時期を知らせることができるＲＦＩＤタグ付きリライタブル印字媒体用プリンター、および同プリンターにおけるＲＦＩＤタグ付きリライタブル印字媒体の警告表示方法を提供すること。【解決手段】ＲＦＩＤタグ付きリライタブル印字媒体２の利用履歴情報として、たとえば印字内容の書換え回数などを、その利用の都度ＲＦＩＤタグ内のメモリに保存することに着目したもので、印字可能領域に複数回にわたって印字内容を書き換え可能なＲＦＩＤタグ付きリライタブル印字媒体２を装填し、ＲＦＩＤタグ付きリライタブル印字媒体２の利用履歴情報をＲＦＩＤタグのＩＣチップに保存するとともに、利用履歴情報が所定の設定レベルをこえたときに、その警告を発することを特徴とする。【選択図】図１
2009286005.tif 000002
【特許請求の範囲】
【請求項１】
ＩＣチップおよびアンテナを有するＲＦＩＤタグを備えるとともに、印字可能領域に複数回にわたって印字内容を書き換え可能なＲＦＩＤタグ付きリライタブル印字媒体を装填し、前記ＩＣチップに書き込んだＲＦＩＤ情報に関連する表示必要情報を前記印字内容として前記印字可能領域に印字可能なＲＦＩＤタグ付きリライタブル印字媒体用プリンターであって、
前記ＲＦＩＤタグ付きリライタブル印字媒体の利用履歴情報を前記ＲＦＩＤタグの前記ＩＣチップに保存するとともに、
この利用履歴情報が所定の設定レベルをこえたときに、その警告を発することを特徴とするＲＦＩＤタグ付きリライタブル印字媒体用プリンター。
【請求項２】
前記利用履歴情報は、
前記ＲＦＩＤタグ付きリライタブル印字媒体の前記印字可能領域において書き換えた前記印字内容の書換え回数であることを特徴とする請求項１記載のＲＦＩＤタグ付きリライタブル印字媒体用プリンター。
【請求項３】
前記警告は、
前記ＲＦＩＤタグ付きリライタブル印字媒体の前記印字可能領域とは異なる非印字可能領域にこれを表示することを特徴とする請求項１記載のＲＦＩＤタグ付きリライタブル印字媒体用プリンター。
【請求項４】
前記警告は、
前記ＲＦＩＤタグ付きリライタブル印字媒体の前記印字可能領域にこれを表示することを特徴とする請求項１記載のＲＦＩＤタグ付きリライタブル印字媒体用プリンター。
【請求項５】
前記ＲＦＩＤタグ付きリライタブル印字媒体の前記印字可能領域に前記印字内容がないときには、前記印字可能領域への印字消去処理を省略することを特徴とする請求項１記載のＲＦＩＤタグ付きリライタブル印字媒体用プリンター。
【請求項６】
ＩＣチップおよびアンテナを有するＲＦＩＤタグを備えるとともに、印字可能領域に複数回にわたって印字内容を書き換え可能なＲＦＩＤタグ付きリライタブル印字媒体を装填し、前記ＩＣチップに書き込んだＲＦＩＤ情報に関連する表示必要情報を前記印字内容として前記印字可能領域に印字可能なＲＦＩＤタグ付きリライタブル印字媒体用プリンターにおけるＲＦＩＤタグ付きリライタブル印字媒体の警告表示方法であって、
前記ＲＦＩＤタグ付きリライタブル印字媒体の利用履歴情報を前記ＲＦＩＤタグの前記ＩＣチップに保存するとともに、
前記ＲＦＩＤタグ付きリライタブル印字媒体を前記ＲＦＩＤタグ付きリライタブル印字媒体用プリンターに装填するたびに、前記利用履歴情報を読み取り、
前記利用履歴情報が所定の設定レベルをこえたときに、その警告を前記ＲＦＩＤタグ付きリライタブル印字媒体に表示することを特徴とするＲＦＩＤタグ付きリライタブル印字媒体用プリンターにおけるＲＦＩＤタグ付きリライタブル印字媒体の警告表示方法。
【発明の詳細な説明】
【技術分野】
【０００１】
本発明はＲＦＩＤタグ付きリライタブル印字媒体用プリンター、および同プリンターにおけるＲＦＩＤタグ付きリライタブル印字媒体の警告表示方法にかかるもので、とくに無線によりデータを書き込み読み取り可能なＲＦＩＤタグ付きリライタブル印字媒体用プリンター、および同プリンターにおけるＲＦＩＤタグ付きリライタブル印字媒体の警告表示方法に関するものである。
【背景技術】
【０００２】
従来から、製造業界や物流業界では、各種の無線通信方式によるＲＦＩＤタグを用いて、工場における工程管理や物流センターにおける物流管理の合理化を図る動きがあるが、光学的に読み取り可能なバーコードによる情報の表示、あるいは人間が目視可能な情報の表示に対するニーズが依然として高いのが現状である。
一方、その印字可能領域に複数回にわたってそれぞれ印字内容を書き換え可能なリライタブル印字媒体も普及してきており、上記ＲＦＩＤタグを備えたＲＦＩＤタグ付きリライタブル印字媒体も開発されている。このＲＦＩＤタグ付きリライタブル印字媒体は、一般的には、シート状にこれを形成し、ＲＦＩＤタグ付きリライタブルペーパーとして利用されている。
このＲＦＩＤタグ付きリライタブルペーパーは、ＲＦＩＤタグ内の情報（ＲＦＩＤ情報）に関連する表示必要情報がリライタブルペーパーに印字されて目視可能であるため、繰り返して工程指示書や荷票などの役割を担うことができるが、ＲＦＩＤタグ付きリライタブルペーパーが高価であるため、その利用回数ないしはその利用状況を正確に把握しておかないと、上記工程管理や物流管理におけるサプライ品コストへの影響が大きいという問題がある。
【０００３】
さらに、ＲＦＩＤタグ付きリライタブルペーパーは、その利用回数の増加ないしはその利用状況によって書き換え可能な機能が低下するとともに、利用回数ないしは利用状況が異なる複数枚のＲＦＩＤタグ付きリライタブルペーパーを用いている場合には、それぞれのＲＦＩＤタグ付きリライタブルペーパーが以後確実に利用可能か否かを正確に把握することが困難であるという問題がある。
【０００４】
【特許文献１】特開２００５−１７９０２０号公報
【発明の開示】
【発明が解決しようとする課題】
【０００５】
本発明は以上のような諸問題にかんがみなされたもので、ＲＦＩＤタグ付きリライタブル印字媒体の利用回数ないし利用状況を把握可能なＲＦＩＤタグ付きリライタブル印字媒体用プリンター、および同プリンターにおけるＲＦＩＤタグ付きリライタブル印字媒体の警告表示方法を提供することを課題とする。
【０００６】
また本発明は、ＲＦＩＤタグ付きリライタブル印字媒体が複数回にわたって利用されてきた場合に、以後さらにこれを利用可能か否かを判別可能としたＲＦＩＤタグ付きリライタブル印字媒体用プリンター、および同プリンターにおけるＲＦＩＤタグ付きリライタブル印字媒体の警告表示方法を提供することを課題とする。
【０００７】
また本発明は、複数枚のＲＦＩＤタグ付きリライタブル印字媒体が同時にＲＦＩＤタグ付きリライタブル印字媒体用プリンターに装填されても、それぞれのＲＦＩＤタグ付きリライタブル印字媒体の状況ないしは交換時期を知らせることができるＲＦＩＤタグ付きリライタブル印字媒体用プリンター、および同プリンターにおけるＲＦＩＤタグ付きリライタブル印字媒体の警告表示方法を提供することを課題とする。
【課題を解決するための手段】
【０００８】
すなわち本発明は、ＲＦＩＤタグ付きリライタブル印字媒体の利用履歴情報として、たとえば、リライトカウンター（印字内容の書換え回数）、ロットナンバー(媒体の製造番号)などを、その利用の都度（ＲＦＩＤタグ付きリライタブル印字媒体用プリンターに装填の都度）、ＲＦＩＤタグ内のメモリ（ＩＣチップ）に保存することに着目したもので、第一の発明は、ＩＣチップおよびアンテナを有するＲＦＩＤタグを備えるとともに、印字可能領域に複数回にわたって印字内容を書き換え可能なＲＦＩＤタグ付きリライタブル印字媒体を装填し、上記ＩＣチップに書き込んだＲＦＩＤ情報に関連する表示必要情報を上記印字内容として上記印字可能領域に印字可能なＲＦＩＤタグ付きリライタブル印字媒体用プリンターであって、上記ＲＦＩＤタグ付きリライタブル印字媒体の利用履歴情報を上記ＲＦＩＤタグの上記ＩＣチップに保存するとともに、この利用履歴情報が所定の設定レベルをこえたときに、その警告を発することを特徴とするＲＦＩＤタグ付きリライタブル印字媒体用プリンターである。
【０００９】
第二の発明は、ＩＣチップおよびアンテナを有するＲＦＩＤタグを備えるとともに、印字可能領域に複数回にわたって印字内容を書き換え可能なＲＦＩＤタグ付きリライタブル印字媒体を装填し、上記ＩＣチップに書き込んだＲＦＩＤ情報に関連する表示必要情報を上記印字内容として上記印字可能領域に印字可能なＲＦＩＤタグ付きリライタブル印字媒体用プリンターにおけるＲＦＩＤタグ付きリライタブル印字媒体の警告表示方法であって、上記ＲＦＩＤタグ付きリライタブル印字媒体の利用履歴情報を上記ＲＦＩＤタグの上記ＩＣチップに保存するとともに、上記ＲＦＩＤタグ付きリライタブル印字媒体を上記ＲＦＩＤタグ付きリライタブル印字媒体用プリンターに装填するたびに、上記利用履歴情報を読み取り、上記利用履歴情報が所定の設定レベルをこえたときに、その警告を上記ＲＦＩＤタグ付きリライタブル印字媒体に表示することを特徴とするＲＦＩＤタグ付きリライタブル印字媒体用プリンターにおけるＲＦＩＤタグ付きリライタブル印字媒体の警告表示方法である。
【００１０】
上記利用履歴情報は、上記ＲＦＩＤタグ付きリライタブル印字媒体の上記印字可能領域において書き換えた上記印字内容の書換え回数であることができる。
【００１１】
上記警告は、上記ＲＦＩＤタグ付きリライタブル印字媒体の上記印字可能領域とは異なる非印字可能領域にこれを表示することができる。
【００１２】
上記警告は、上記ＲＦＩＤタグ付きリライタブル印字媒体の上記印字可能領域にこれを表示することができる。
【００１３】
上記ＲＦＩＤタグ付きリライタブル印字媒体の上記印字可能領域に上記印字内容がないときには、上記印字可能領域への印字消去処理を省略することができる。すなわち、ＲＦＩＤタグに無印字／印字（媒体に印字内容があるか否か）の情報を保存して参照することができる。
【００１４】
上記警告は、上記ＲＦＩＤタグ付きリライタブル印字媒体の交換時期を表示することができる。
【発明の効果】
【００１５】
本発明によるＲＦＩＤタグ付きリライタブル印字媒体用プリンター、および同プリンターにおけるＲＦＩＤタグ付きリライタブル印字媒体の警告表示方法においては、ＲＦＩＤタグ付きリライタブル印字媒体の書換え回数などの利用履歴情報をＲＦＩＤタグに保存するようにしたので、この利用履歴情報が所定の設定レベルをこえたとき、警告を発して、その利用可能限界ないし交換時期を知らしめることができ、それぞれのＲＦＩＤタグ付きリライタブル印字媒体を適正に管理して、その機能を十分に活用可能である。
【００１６】
とくに第一の発明によれば、ＲＦＩＤタグ付きリライタブル印字媒体の書換え回数などの利用履歴情報をＲＦＩＤタグのＩＣチップに保存するとともに、この利用履歴情報が所定の設定レベルをこえたときに、その警告を発するようにしたので、当該ＲＦＩＤタグ付きリライタブル印字媒体用プリンターにＲＦＩＤタグ付きリライタブル印字媒体を装填するたびに、これを以後利用可能か否かを表示することができる。
【００１７】
とくに第二の発明によれば、ＲＦＩＤタグ付きリライタブル印字媒体の利用の都度、たとえば、印字可能領域への印字内容の印字の都度、あるいはＲＦＩＤタグ付きリライタブル印字媒体をＲＦＩＤタグ付きリライタブル印字媒体用プリンターに装填の都度、ＲＦＩＤタグ付きリライタブル印字媒体の利用履歴情報をＲＦＩＤタグのＩＣチップに保存するとともに、ＲＦＩＤタグ付きリライタブル印字媒体をＲＦＩＤタグ付きリライタブル印字媒体用プリンターに装填するたびに、利用履歴情報を読み取り、利用履歴情報が所定の設定レベルをこえたときに、その警告をＲＦＩＤタグ付きリライタブル印字媒体に表示するようにしたので、ＲＦＩＤタグ付きリライタブル印字媒体自体に利用限界を表示することができ、それぞれのＲＦＩＤタグ付きリライタブル印字媒体の利用を適正に管理することができる。
【発明を実施するための最良の形態】
【００１８】
本発明は、ＲＦＩＤタグ付きリライタブル印字媒体の書換え回数などの利用履歴情報をＲＦＩＤタグのＩＣチップに保存するようにしたので、ＲＦＩＤタグ付きリライタブル印字媒体の交換時期を明示可能なＲＦＩＤタグ付きリライタブル印字媒体用プリンター、および同プリンターにおけるＲＦＩＤタグ付きリライタブル印字媒体の警告表示方法を実現した。
【実施例】
【００１９】
つぎに本発明の実施例によるＲＦＩＤタグ付きリライタブル印字媒体用プリンター、および同プリンターにおけるＲＦＩＤタグ付きリライタブル印字媒体の警告表示方法を図１ないし図３にもとづき説明する。
図１は、上記ＲＦＩＤタグ付きリライタブル印字媒体用プリンター１の概略側面図であって、ＲＦＩＤタグ付きリライタブル印字媒体用プリンター１は、ＲＦＩＤタグ付きリライタブルペーパー２（ＲＦＩＤタグ付きリライタブル印字媒体）のホッパー３と、移送部４と、読取り書込み部５と、消去部６と、印字部７と、制御部８と、を有する。
【００２０】
図２は、ＲＦＩＤタグ付きリライタブルペーパー２の説明図であって、ＲＦＩＤタグ付きリライタブルペーパー２は、シート状のペーパー本体９の中央領域に矩形状に印字可能領域１０を設けているとともに、印字可能領域１０の周縁部における印字可能領域１０以外の領域（非印字可能領域１１）にＲＦＩＤタグ１２を備えている。なお、非印字可能領域１１には、後述するような警告を表示することができる。
【００２１】
印字可能領域１０は、たとえばロイコ系染料および必要な顕色剤を塗布してあって、第１の温度（たとえば比較的高温度）に加熱することにより所定の印字内容を印字可能であるとともに、第１の温度とは異なる第２の温度（たとえば比較的低温度）に加熱することによりその印字を消去可能としている。
【００２２】
ＲＦＩＤタグ１２は、ＩＣチップ１３およびアンテナ１４を有し、読取り書込み部５との間で、アンテナ１４を介して無線によりＩＣチップ１３内のデータの読み取りおよびＩＣチップ１３への書き込みを可能としている。
ＩＣチップ１３には、図２に示すように、ＲＦＩＤ情報の領域として、ＲＦＩＤタグ付きリライタブルペーパー２自体を識別可能とするための固有情報メモリを保存する固有情報メモリ領域１５、印字可能領域１０への印字があるか否かの無印字／印字情報メモリを保存する無印字／印字情報メモリ領域１６、印字可能領域１０への印字書換え回数を計測するリライトカンター１７、およびＲＦＩＤタグ付きリライタブルペーパー２を利用するための可変情報メモリを保存する可変情報メモリ領域１８、などを有している。
【００２３】
ホッパー３は、操出しローラー１９によりホッパー３内から移送部４にＲＦＩＤタグ付きリライタブルペーパー２を一枚ずつ供給する。
【００２４】
移送部４は、駆動ローラー２０および従動ローラー２１の対を必要箇所に有し、ＲＦＩＤタグ付きリライタブルペーパー２を読取り書込み部５、消去部６および印字部７にそれぞれ供給可能とする。
【００２５】
読取り書込み部５は、ＲＦＩＤタグ付きリライタブルペーパー２のＩＣチップ１３に無線によりデータの読み取りおよび書き込みを可能とする。
【００２６】
消去部６は、ＲＦＩＤタグ付きリライタブルペーパー２を上記第２の温度に加熱することにより、ＲＦＩＤタグ付きリライタブルペーパー２の印字可能領域１０における印字内容を消去可能である。
【００２７】
印字部７は、サーマルヘッド２２およびプラテンローラー２３を有し、ＲＦＩＤタグ付きリライタブルペーパー２を上記第２の温度に加熱することにより、ＲＦＩＤタグ付きリライタブルペーパー２の印字可能領域１０に所定の印字内容を印字可能とする。
この印字内容としては、ＩＣチップ１３に書き込んだＲＦＩＤ情報に関連する表示必要情報はもとより、ＲＦＩＤタグ付きリライタブルペーパー２を用いて必要に応じて表示対象物たとえば搬送品２５（図３）に関連して表示する内容である。
【００２８】
制御部８は、上述の各ホッパー３、移送部４、読取り書込み部５、消去部６、印字部７をそれぞれ所定のタイミングで制御する。
【００２９】
こうした構成のＲＦＩＤタグ付きリライタブル印字媒体用プリンター１の作用、およびＲＦＩＤタグ付きリライタブルペーパー２の警告表示方法について、図３も参照して説明する。
図３は、ＲＦＩＤタグ付きリライタブルペーパー２およびＲＦＩＤタグ付きリライタブル印字媒体用プリンター１の利用例を示す説明図であって、たとえば、物流センターあるいは工場における供給側Ｓで、たとえば通い箱２４に所定の搬送品２５を収容するとともに、この搬送品２５の管理に必要な管理情報を印字して表示したＲＦＩＤタグ付きリライタブルペーパー２を通い箱２４の側面に取り付ける。もちろん、搬送品２５の種類によっては、この搬送品２５に直接ＲＦＩＤタグ付きリライタブルペーパー２を取り付けることもできる。
なお上記管理情報は、バーコードや人間が目視可能な文字や数字などによりこれを表示する。
【００３０】
このＲＦＩＤタグ付きリライタブルペーパー２が取り付けられている通い箱２４を届け先ないし工場の他の部門の受領側Ｒで搬送品２５を受け取り、ＲＦＩＤタグ付きリライタブルペーパー２上の印字内容（管理情報）を読み取って必要な管理処理を行ったのち、通い箱２４を供給側Ｓに戻す。
【００３１】
供給側Ｓにおいては、ＲＦＩＤタグ付きリライタブルペーパー２を通い箱２４から取り外して、ＲＦＩＤタグ付きリライタブル印字媒体用プリンター１に装填し、読取り書込み部５において、ＲＦＩＤタグ付きリライタブルペーパー２における利用履歴情報のデータすなわち、ＲＦＩＤタグ付きリライタブルペーパー２が何回利用されたかのデータ、ないしは印字可能領域１０において書き換えた印字内容の書換え回数のデータを入手する。
さらに、ＲＦＩＤタグ付きリライタブルペーパー２についての以後の利用に必要な管理情報（ＲＦＩＤ情報）をＲＦＩＤタグ１２に書き込む。
【００３２】
ＲＦＩＤタグ付きリライタブルペーパー２の利用履歴情報は、そのＲＦＩＤタグ１２におけるＩＣチップ１３に保存されており、この利用履歴情報が所定の設定レベル（設定回数など）をこえたときに、その警告を発するものである。
当該警告としては、ＲＦＩＤタグ付きリライタブルペーパー２のたとえば交換時期や利用期限切れなどの情報を、その印字可能領域１０とは異なる非印字可能領域１１に、スタンプ２６（図１中、仮想線）などによりこれを表示することができる。
あるいは、ＲＦＩＤタグ付きリライタブルペーパー２の印字可能領域１０に当該警告を印字内容の一部として表示することもできる。
また、ＲＦＩＤタグ付きリライタブル印字媒体用プリンター１の操作パネル（図示せず）などにおける警報あるいは警告表示を行うようにすることもできる。
【００３３】
なお、読取り書込み部５における読取りデータから、ＲＦＩＤタグ付きリライタブルペーパー２の印字可能領域１０に印字内容がないと判断される際には、消去部６における印字可能領域１０への印字消去処理を省略するようにして、処理スピードを向上させることができる。
【００３４】
かくして、ＲＦＩＤタグ付きリライタブルペーパー２の利用履歴情報をＲＦＩＤタグ１２のＩＣチップ１３に保存するとともに、ＲＦＩＤタグ付きリライタブルペーパー２をＲＦＩＤタグ付きリライタブル印字媒体用プリンター１に装填するたびに、読取り書込み部５においてＲＦＩＤタグ１２から利用履歴情報を読み取り、利用履歴情報が所定の設定レベルをこえたときに、その警告をＲＦＩＤタグ付きリライタブルペーパー２に表示可能としたので、作業者はＲＦＩＤタグ付きリライタブルペーパー２自体でその交換時期を認識可能であり、作業性良好であるとともに、ＲＦＩＤタグ付きリライタブルペーパー２の適正な管理を行うことができる。
【図面の簡単な説明】
【００３５】
【図１】本発明の実施例によるＲＦＩＤタグ付きリライタブル印字媒体用プリンター１の概略側面図である。
【図２】同、ＲＦＩＤタグ付きリライタブルペーパー２の説明図である。
【図３】同、ＲＦＩＤタグ付きリライタブルペーパー２およびＲＦＩＤタグ付きリライタブル印字媒体用プリンター１の利用例を示す説明図である。
【符号の説明】
【００３６】
１  ＲＦＩＤタグ付きリライタブル印字媒体用プリンター（実施例、図１）
２  ＲＦＩＤタグ付きリライタブルペーパー（ＲＦＩＤタグ付きリライタブル印字媒体）
３  ホッパー
４  移送部
５  読取り書込み部
６  消去部
７  印字部
８  制御部
９  ペーパー本体
１０  印字可能領域
１１  非印字可能領域
１２  ＲＦＩＤタグ
１３  ＩＣチップ
１４  アンテナ
１５  固有情報メモリ領域
１６  無印字／印字メモリ領域
１７  リライトカウンター
１８  可変情報メモリ領域
１９  操出しローラー
２０  駆動ローラー
２１  従動ローラー
２２  サーマルヘッド
２３  プラテンローラー
２４  通い箱（図３）
２５  搬送品
２６  スタンプ（図１）
Ｓ    供給側（図３）
Ｒ    受領側
【図１】
2009286005.tif 000003
【図２】
2009286005.tif 000004
【図３】
2009286005.tif 000005